(57)【要約】【課題】本発明は製袋方式による方式で低コスト化を計り、従来、この方式によるドリップ性の低さや手軽な使用性を実現しようとするものである。【解決手段】支持体の折り曲げ部分など軽く組み立てられる様にして、又カップ上に高く袋部を位置させドリップ性を高めカップ上での安定性を高め、セットしやすくするものである。【選択図】図４
2020131045.tif 000002
【特許請求の範囲】
【請求項１】
本発明では、通水性濾過性を有するシート材料１に、あらかじめ厚紙等に防水加工をして構成した支持体２をシート材料１の周囲に端部３を、のこし設けて各、貼着部２２でシート材料１に支持体２を貼着し一体に取り付けている、このシート材料１全体を二つ折りにする二つ折り部線１８を、支持体２の中央部に左右に貫通して設けている、この支持体２は箱型を構成する底部として中央部に支持柱１１を設け、シート材料１で構成する袋部２５の底部側の左右の角部１５をそれぞれ左右の側方に位置させ底部の中央部に、支持柱１１を前後方向に構えて袋部２５の底部を下から支え位置しており、箱型の前後の側壁は、前後方向に構えた支持柱１１の前部側の端に設けた左折り目１９を介し支持辺６を伸び出て設け有し、後部側の端には右折り目２１を介し支持辺６が同じく伸び出て設け有している、この各、支持辺６は下部側は左右両方向に伸び出た支持アーム１０を有し設け広巾であり、その下端部には外ガード７と内ガード８の間に設けた受け部９を設けており、さらにこの各、支持辺６の上部側の左右端部には折り目２０から各、左右側に、それぞれ伸び出て、箱型の左右側壁となる側辺５が設けられ有している、さらに支持柱１１は、左折り目１９と右折り目２１の間の巾で両側に設けた各、折り曲げ線１３から両側方向に伸び出た折り下げ辺１２を各、有し設けている、このシート材料１と支持体２で構成した全体を、二つ折り部線１８から折り曲げ、シート材料１の他の３辺の端部３どうしを合わせ一体に封じて、シート材料１により袋部２５を構成しており、袋部２５の上方口２４は上方側の端部３の下側に左右方向にミシン目４を設けて構成している、以上よりなることを特徴とするドリップ抽出バッグ。
【請求項２】
側辺５は、袋部２５の上方口４側から下方に伸びて側壁を構成し、さらに袋部２５の左右下端の角部１５まで伸びて達した細長部３０を有し設けていることを特徴とした請求項１記載のドリップ抽出バッグ。
【請求項３】
支持柱１１は袋部２５の底部の下面側の中央部で前後方向に細長い形状で、巾を狭く構えた支持柱１１であり、この支持柱１１の両サイドに設けた折り下げ辺１２が、左折り目１９と右折り目２１の巾を有し、支持柱１１の両サイドの折り曲げ線１３から、それぞれ両サイド方向に長く伸び出て、大きな折り下げ辺１２を構成していることを特徴とした請求項１記載のドリップ抽出バッグ。
【請求項４】
支持体２が箱形を形成したとき、底部を構成する支持柱１１の両サイド側に位置する袋部２５の左右の角部１５が、支持柱１１の両サイド側で下方に折り下がり構成している折り下げ辺１２の外側の側方に位置して下方に向いたポケット部１６を構成していることを特徴とした請求項１記載のドリップ抽出バッグ。
【請求項５】
支持柱１１の両サイドに有する折り曲げ線１３から伸び出た折り下げ辺１２は、固定部２９から曲がり部２８と伸び、先端を押え辺２６で構成した折り下げ辺１２であり、曲がり部２８から切断線２７で先端方向に左右に分離している折り下げ辺１２であることを特徴とした請求項１記載のドリップ抽出バッグ。
【請求項６】
支持柱１１に穴部３１を設けたことを特徴とした請求項１記載のドリップ抽出バッグ。
【発明の詳細な説明】
【技術分野】
【０００１】  本発明は飲用容器上に置きセットして使用する、レギュラーコーヒー等の使い捨てタイプのドリップ式抽出バッグであり、通水性濾過性を有したシート材料で構成した、上方に開口部を有した濾過袋であり、この濾過袋に防水加工をした厚紙等の部材で構成した支持体を取り付て設けており、カップ等の飲用容器の口部上に、この支持体で濾過袋を支持し定置させており、この袋内のコーヒー粉に、お湯を注ぎ入れ抽出ドリップし使用するドリップ抽出バッグに関するものである。
【背景技術】
【０００２】  従来、濾過袋をカップ口部上に位置させ定置させるために、濾過袋に取り付けた支持体は、柔軟性のある濾過袋を硬性のある支持体でカップ口部上にカップ口部を支持体が、とらえ濾過袋の袋形を形成しながら、カップ口部上に濾過袋を保持するものであるが、この支持体を多く使用できるタイプの抽出バッグは、濾過袋をカップ上に高く位置させカップ内の湯面に接する事なくドリップ性が高いが、他方で製袋方式である抽出バッグは、濾過シートにあらかじめ支持体を取り付けて貼着しており、このシート状の濾過袋を二つ折りにして、折り目以外の三辺の端部を封じ、中にコーヒー粉を充墳しており、この製袋方式は三辺を封じる工程がある為に、この三辺の端部どうしを貼着する為のスペースを確保しなければならず、このスペースの内側の範囲内だけに支持体の大きさに限定されるため、大きな支持体面積を使用できず、カップ口部上に高く濾過袋を浮かせドリップ性を高める事はできずカップの口部を、とらえ濾過袋をカップ内に位置させる、つり下げ方式的になる傾向にあり、袋部が半分お湯に浸す半分ドリップの方式になり完全ドリップには不向きであるなど課題や制約が多かったが、濾過袋形より外側に支持体が大きく伸び出る事のできるタイプに比較し製袋方式タイプは設備費が１０分の１程度と商品コストの面では大きな利点があった。
【先行技術文献】
【特許文献】
【０００３】
【特許文献１】特許第２５０５９５９号
【特許文献２】特開平１１−１７８７２０
【特許文献３】特許第３７２７２７０号
【特許文献４】特開２００４−１３０１０４
【特許文献５】特開２００９−９６５０７
【発明の概要】
【発明が解決しようとする課題】
【０００４】  それには次のような問題点があった。
（イ）濾過袋をカップ上に位置させるタイプの（特開２００４−１３０１０４）や（特開２００９−９６５０７）は袋の位置が高く、カップ内のお湯に袋の下部が浸る事がなくドリップ性は良いが、全体に大型のコーヒーバッグになり又、生産設備も大規模となるため高コストとなる。
（ロ）それに比較し（特許第２５０５９５９号）や（特開平１１−１７８７２０）や（特許第３７２７２７０号）などの製袋方式の場合では生産設備が１０分の１程度であるため低コストな利点があるが、製袋方式の特徴として濾過性を有したシート材料に、あらかじめ支持体を貼り付けてある状態のシート材料を二つ折りにしながら合わせる三辺の端部を封じながら構成する袋内にコーヒー粉を充墳して行く方式であるため、封じる三辺の端部のスペースをシート材料の周囲に残した内側の範囲内の大きさの支持体であるため、この限られた面積とサイズの支持体で立体的に全体形を構成し安定させて袋部をカップ内のお湯に浸らない様に濾過袋をカップ上に高く位置させ保持する構造を構成しドリップ性を高めることは難しかった。
（ハ）又、（特許第３７２７２７０号）は支持体の折り目を伸ばしカップ上に台形型を構成し、（特開２００４−１３０１０４）や（特開２００９−９６５０７）は支持体で舟型を形成し、それぞれカップ上に袋部の口を開き保持しているが、（特許第３７２７２７０号）は支持体の折り目を伸ばし固定するために折り返し辺で支持体の折り目を伸ばし固定しているが折り返し方式では折り返し辺が元に戻る事があり又、（特開２００４−１３０１０４）や（特開２００９−９６５０７）は三角型で小型の折り込み部で支持体を舟型に開き固定しているが、この折り込み方式の場合折り込んだ状態の固定力は弱く又、折り込んだ反発力で固定した状態を保つためその反発力を超える力が作用すると折り込んだ方向にそのまま折れ曲がり固定できなくなる課題があった。
【課題を解決するための手段】
【０００５】本発明では、通水性濾過性を有するシート材料１に、あらかじめ厚紙等に防水加工をして構成した支持体２をシート材料１の周囲に端部３を、のこし設けて各、貼着部２２でシート材料１に支持体２を貼着し一体に取り付けている、このシート材料１全体を二つ折りにする二つ折り部線１８を、支持体２の中央部に左右に貫通して設けている、この支持体２は箱型を構成する底部として中央部に支持柱１１を設け、シート材料１で構成する袋部２５の底部側の左右の角部１５をそれぞれ左右の側方に位置させ底部の中央部に、支持柱１１を前後方向に構えて袋部２５の底部を下から支え位置しており、箱型の前後の側壁は、前後方向に構えた支持柱１１の前部側の端に設けた左折り目１９を介し支持辺６を伸び出て設け有し、後部側の端には右折り目２１を介し支持辺６が同じく伸び出て設け有している、この各、支持辺６は下部側は左右両方向に伸び出た支持アーム１０を有し設け広巾であり、その下端部には外ガード７と内ガード８の間に設けた受け部９を設けており、さらにこの各、支持辺６の上部側の左右端部には折り目２０から各、左右側に、それぞれ伸び出て、箱型の左右側壁となる側辺５が設けられ有している、さらに支持柱１１は、左折り目１９と右折り目２１の間の巾で両側に設けた各、折り曲げ線１３から両側方向に伸び出た折り下げ辺１２を各、有し設けている、このシート材料１と支持体２で構成した全体を、二つ折り部線１８から折り曲げ、シート材料１の他の３辺の端部３どうしを合わせ一体に封じて、シート材料１により袋部２５を構成しており、袋部２５の上方口２４は上方側の端部３の下側に左右方向にミシン目４を設けて構成している。【０００６】側辺５は、袋部２５の上方口４側から下方に伸びて側壁を構成し、さらに袋部２５の左右下端の角部１５まで伸びて達した細長部３０を有し設けている。【０００７】支持柱１１は袋部２５の底部の下面側の中央部で前後方向に細長い形状で、巾を狭く構えた支持柱１１であり、この支持柱１１の両サイドに設けた折り下げ辺１２が、左折り目１９と右折り目２１の巾を有し、支持柱１１の両サイドの折り曲げ線１３から、それぞれ両サイド方向に長く伸び出て、大きな折り下げ辺１２を構成している。【０００８】支持体２が箱形を形成したとき、底部を構成する支持柱１１の両サイド側に位置する袋部２５の左右の角部１５が、支持柱１１の両サイド側で下方に折り下がり構成している折り下げ辺１２の外側の側方に位置して下方に向いたポケット部１６を構成している。【０００９】支持柱１１の両サイドに有する折り曲げ線１３から伸び出た折り下げ辺１２は、固定部２９から曲がり部２８と伸び、先端を押え辺２６で構成した折り下げ辺１２であり、曲がり部２８から切断線２７で先端方向に左右に分離している折り下げ辺１２である。【００１０】支持柱１１に穴部３１を設けている。
【発明の効果】
【００１１】  （Ａ）箱形を形成した支持体２の底部を構成する支持柱１１の前後に設けた支持辺６の下端部の左右に設けた受け部９で、カップ１７の口部をとらえているため、支持柱１１はカップ１７の口部の高さに位置して袋部２５の底面を下から支えているため袋部２５の底部がカップ１７内の、湯面上に浮かせて保持できる。
（Ｂ）支持柱１１の両サイドの折り下げ辺１２の両辺は、二つ折り部線１８の折り目を伸ばしながら支持柱１１との三辺で、下方向きのコの字型の箱状の形状を形成しているため支持柱１１が袋部２５の重量を支える高い強度を構成できる。
（Ｃ）支持体２の中央の二つ折り部線１８を伸ばし支持柱１１を平たく維持するための両サイドの折り下げ辺１２は、支持柱１１の左折り目１９と右折り目２１の間の巾で構成した広巾であり又、さらに支持柱１１が前後に細長い形状で巾を狭くして構えていることで両サイド方向に折り下げ辺１２は長く伸ばして構成できるため折り下げ辺１２は大型の折り下げ辺１２となり二つ折り部線１８を伸ばし固定する作用が高くなる。
（Ｄ）支持体２で箱形を形成したとき下方に折り下げた折り下げ辺１２の外側にポケット部１６を下方に下がって位置し構成し設け有しており、このポケット部１６の中にコーヒー粉やお湯が入ることで折り下げ辺１２は折り下げた後は元に戻らなくなり固定できる。
（Ｅ）支持柱１１は細長で巾の狭い形状で袋部２５の底部の中央部だけを下から支えるため袋部２５の底部側の左右の角部１５でポケット部１６を構成させ支持柱１１の両サイド側の折り下げ辺１２の外側に位置させ設けることができる。
（Ｆ）支持体２の前後の支持辺６と左右の側辺５で箱形の側壁を形成したとき、側辺５の下方に伸びる細長部３０が角部１５まで伸びてポケット部１６の外側に位置して設けており、ポケット部１６の内側に位置する折り下げ辺１２も一緒に下方に細長部３０は押し下げポケット部１６も構成させながら折り下げ辺１２も下方に押し下げ固定することができ支持辺６を前後方向に開くだけで箱形状となりカップへのセット状態になる。
（Ｇ）箱型を形成したとき、側辺５の下方の細長部３０が角部１５を外側から押し下げ、ポケット部１６を下方向きにさせたときポケット部１６内のコーヒー粉や、お湯の重量でさらにポケット部１６が下方向きに位置し安定した状態になり、この時ポケット部１６の重量と細長部３０の作用とで下方に向き位置している折り下げ辺１２が外側からポケット部１６に押えられて支持柱１１を平面形に固定化していることで、側辺５や支持辺６の側壁も同時に固定されて、箱形状を固定化した状態に保てる。
（Ｈ）折り下げ辺１２の先端側の、押え辺２６と曲がり部２８側が、切断線２７により先端方向に向け左右に分離していることと、曲がり部２８の柔軟性とで、左右の押え辺２６が左右に分離して、それぞれポケット部１６をとらえながら自在に、折り下げ辺１２が動き柔軟に折り下がれる様になるため、折り下げ辺１２が、折れ下がる時の箱部に生じる衝撃を分散して衝撃を和らげる事ができ、又このとき生じる細長部３０の折れ曲がりも和らげて防げる。
【図面の簡単な説明】
【００１２】
【図１】本発明の展開図である。
【図２】本発明の組み立て状態を示す斜視図である。
【図３】本発明の組み立てた状態を示す斜視図である。
【図４】本発明の箱型を形成した状態を示す斜視図である。
【図５】本発明の袋部のポケット部を示す斜視図である。
【図６】本発明の使用状態を示す斜視図である。
【図７】本発明の箱型を形成している状態を示す斜視図である。
【図８】本発明の押し上げ凸部１４の拡大図で斜視図である。
【発明を実施するための形態】
【００１３】  以下、本発明の実施形態について説明する。
（１）通気性濾過性を有するシート材料１に、あらかじめ厚紙等に防水加工をして構成した支持体２をシート材料１の周囲に端部３をのこし設けて各、貼着部２２でシート材料１に支持体２を貼着し一体に取り付けている。
（２）この支持体２を貼り付けたシート材料１を、二つ折りにするための二つ折り部線１８を、支持体２の中央に左右方向に貫通して設けている。
（３）この支持体２は箱形を形成するための、底面を構成する支持柱１１を設けており、これはシート材料１を二つ折りにして袋部２５を形成したとき、支持体２は袋部２５の外面側に位置し袋部２５の底部を下から支え保持するもので、袋部２５の底部の下面に位置し、底部の中央部を前後方向に巾の狭い細長い形状で構え、袋部２５を支えている支持柱１１である。
（４）この支持柱１１は前後方向に細長く巾を狭くして構え、左右に大きなスペースを構成することで、支持柱１１の、この両サイドに設けたスペースに支持柱１１の左右に設けた折り曲げ線１３を介しそれぞれ両サイド方向に各、長く伸び出させた折り下げ辺１２を設け、これは左折り目１９と右折り目２１の間を有する広巾で、大型の折り下げ辺１２を構成させて各、左右に設け有しており、さらに支持柱１１の、この前後方向に細長い前部側の端部には左折り目１９と後部側の端には右折り目２１を有したこの各折り目から、さらに前後側の側壁を構成する支持辺６が伸び出て各有している。
（５）この支持辺６の上部側の左右には端部折り目２０を介し、それぞれ伸び出て側辺５を設けており、この側辺５は、さらに下方に伸び袋部２５の上方口２４から底部側まで伸びており袋部２５と支持体２が箱型を構成したときの左右側の側壁を形成するものであり、さらに、この側辺５は下方の角部１５まで伸びた細長部３０を設け有しており袋部２５の角部１５が構成するポケット部１６の外側に構えシート材料１に一体に細長部３０は貼着されて設け有している。
（６）さらに、この支持辺６の下部側の両側部には左右に伸び出た支持アーム１０を、それぞれ有し、広巾となりその下端部にはカップの口部を取らえ受けるための外ガード７と内ガード８、その間に設けた受け部９からなるカップ口部の受け部を構成し設けて有している。
（７）さらに支持柱１１は、左右に有した折り曲げ線１３から左右下方に折り下げた折り下げ辺１２により、二つ折り部線１８を平たく伸ばし支持柱１１を平たく固定し、シート材料１で構成した袋部２５を下から支える、下方向きのコの字型の底部を構成し、上方向きの支持辺６やその側辺５で箱型の側壁面を構成し、これを支え保持してカップ口部をとらえながら箱形をカップ口部上に袋部２５を形成保持するものである。
（８）支持柱１１は前後方向に、細長い形状で巾を狭く構えることでその両サイドに折り曲げ線１３を各設けて、両サイド方向に長く伸びた折り下げ辺１２が構成できる様にしており、この折り下げ辺１２を下方に折り下げたとき、袋部２５の底部側の中央部だけをとらえる支持柱１１であるため袋部２５の底部側の左右の角部１５は下方に下がり、折り下げ辺１２の外側の位置で袋部２５の底部の左右の角部１５が下方に下がりポケット部１６を構成できる様にしている。
（９）支持柱１１は中央部にある二つ折り部線１８を伸ばし平たく形成保持する両サイドの各折り下げ辺１２が左折り目１９と右折り目２１の巾を有した両サイドの折り下げ辺１２であり、折り曲げ線１３から下方に折り下がった状態で支持柱１１と両サイド側の折り下げ辺１２との両辺で下方向きのコの字型の箱状の形状を構成していることで支持柱１１が前後の端部でカップ口部をとらえている支持辺６側の間で支持柱１１は袋部２５の底部をカップ１７の口部の高さの位置で支えながら、その重量を支える高い支持力を下方向きのコの字形の箱形状で構成させている。
（１０）このときに、この折り下げ辺１２は折り曲げられたため元に戻ろうとする復元力の働きが作用し垂直、下方より多少ポケット部１６側に向いている状態のため支持柱１１の上面に大きな下方向の力が加わると基本的に折り下げ辺１２は垂直下方向のどちらか向いた方向に曲がって行くが折り下げ辺１２は折り曲げ線１３から折り曲げられたポケット部１６側に戻ろうとする反発力で常にポケット部１６側を向いた状態のため、これを止めるため袋部２５の底部側の両端の角部１５が各折り下げ辺１２の外側に下がり位置してポケット部１６を構成している、このポケット部１６内にコーヒー粉やお湯が入る事で大きな抑止力となり折り下げ辺１２が元に戻ろうとする作用をポケット部１６内の重量で押さえる又、長く伸び出た折り下げ辺１２であるため、てこ、の原理でポケット部１６は容易に折り下げ辺１２側の押え辺２６を、とらえ押さえることができ折り下げ辺１２は下方向に折り下げられた状態で固定され完全に戻らなくなる。
（１１）支持柱１１の両サイドに設けた各折り下げ辺１２は、折り曲げ線１３から支持柱１１側の面に伸び出て構成した押し上げ凸部１４を各それぞれ設け有しており、これは袋部２５の底部を浮かし支持柱１１とシート材料１との間に一定の透き間を部分的に構成し袋部２５からのお湯の流下をスムーズにする作用がある。
（１２）シート材料１には上方口２４を構成するためのミシン目４を上部側の端部３の内側の位置で左右巾に貫通したミシン目４を設けている。
（１３）このシート材料１と支持体２で構成した包材を二つ折り部線１８から全体を折り曲げ各端部３の三辺どうしを合わせ中にコーヒー粉等を充墳して三辺の端部３を封じて製袋形を構成している。
（１４）支持体２で、この箱形を形成するとき、図７に示す様に、一時的に支持柱１１と両サイドの折り下げ辺１２が全体に平たい状態になる過程を経て、初めて折り曲げ線１３から左右の各、折り下げ辺１２が下方に折り下がることが出来る為、側辺５の下方に伸びて設けた、折り下げ辺１２を下方に押し下げる為の細長部３０がポケット部１６の外側に位置してポケット部１６と一緒に折り下げ辺１２を下方に折し下げたとき、支持柱１１と同じ水平の平たい状態から一気に左右の折り下げ辺１２が折り下がる為め一定の振動が支持柱１１に生じ中のコーヒー粉が上方口２４から多少、飛散することがあり、これを防ぐ為め、折り下げ辺１２が支持柱１１の、折り曲げ線１３から伸び出て構成するとき、二つ折り部線１８を伸ばし固定するのに必要な最小限の折り下げ辺１２の作用を固定部２９で作用を確保し、中間部の曲がり部２８から先端部側の押え辺２６が切断線２７で左右に分離した構成の折り下げ辺１２とすることで、側辺５の細長部３０によりポケット部１６と一緒に押し下げられた折り下げ辺１２の曲がり部２８から押え辺２６側に左右に開き折れ曲がり自在にポケット部１５を受け止め一気に折り下がらず徐徐に、柔軟に折り下がる様にしており、又押し下げようとする細長部３０が折れて機能しなくなることも防ぎ、又折り下げ辺１２が曲がり部２８と先端部の押え辺２６とで長く伸び構成した折り下げ辺１２であることで容易にポケット部は、てこ、の原理で押え辺２６を押し下げれる様にしている。
（１５）支持柱１１に設けた穴部３１は支持柱１１面に溜ったコーヒー液を流下させるもので、押し上げ凸部１４も支持柱１１側に穴部を構成するため同じ作用がある。
【符号の説明】
【００１４】１    シート材料
２    支持体
３    端部
４    ミシン目
５    側辺
６    支持辺
７    外ガード
８    内ガード
９    受け部
１０  支持アーム
１１  支持柱
１２  折り下げ辺
１３  折り曲げ線
１４  押し上げ凸部
１５  角部
１６  ポケット部
１７  カップ
１８  二つ折り部線
１９  左折り目
２０  端部折り目
２１  右折り目
２２  貼着部
２３  切れ目
２４  上方口
２５  袋部
２６  押え辺
２７  切断線
２８  曲がり部
２９  固定部
３０  細長部
３１  穴部
【図１】
2020131045.tif 000003
【図２】
2020131045.tif 000004
【図３】
2020131045.tif 000005
【図４】
2020131045.tif 000006
【図５】
2020131045.tif 000007
【図６】
2020131045.tif 000008
【図７】
2020131045.tif 000009
【図８】
2020131045.tif 000010